(57)【特許請求の範囲】
【請求項１】
ヒータと、
前記ヒータに電気を供給するか否かを切り換える電源切換手段と、
前記ヒータを作動させるか否かを切り換えるヒータ切換手段と、
前記ヒータの作動中において前記ヒータ切換手段によって前記ヒータが非作動状態に切り換えられた時点から所定時間経過した旨に応答して前記電源切換手段を前記電気の非供給状態に切り換える一方、前記電源切換手段が前記電気の供給状態に切り換えられたときにおいて、前記ヒータ切換手段が既に前記ヒータの作動側に切り換えられていた場合には前記電源切換手段を前記電気の非供給状態に切り換え、前記ヒータ切換手段が前記ヒータの非作動側に切り換えられていた場合には一定時間を経過しても前記ヒータ切換手段が前記ヒータの非作動側のままであるときには前記電源切換手段を前記電気の非供給状態に切り換える制御手段と、
を具備する加熱装置。
【請求項２】
複数のヒータと、
前記ヒータの全てに電気を供給するか否かを切り換える電源切換手段と、
前記ヒータに各々対応し且つ前記ヒータの各々を作動させるか否かを各々切り換える複数のヒータ切換手段と、
前記ヒータの少なくとも１つの作動中において前記ヒータ切換手段によって前記ヒータの内の最後まで作動していたヒータが非作動状態に切り換えられた時点から所定時間経過した旨に応答して前記電源切換手段を前記電気の非供給状態に切り換える一方、前記電源切換手段が前記電気の供給状態に切り換えられたときにおいて、前記ヒータ切換手段の少なくとも１つが既に前記ヒータの作動側に切り換えられていた場合には前記電源切換手段を前記電気の非供給状態に切り換え、
前記ヒータ切換手段の全てが前記ヒータの非作動側に切り換えられていた場合には一定時間を経過しても前記ヒータ切換手段の全てが前記ヒータの非作動側のままであるときには前記電源切換手段を前記電気の非供給状態に切り換える制御手段と、
を具備する加熱装置。
【発明の詳細な説明】
【０００１】
【発明の属する技術分野】
この発明は、加熱装置、特に、加熱手段としてヒータを有する加熱装置に関するものである。
【０００２】
【従来の技術】
図１３は、従来の電気コンロ(9) の正面図である。
同図の電気コンロ(9) には、ヒータ(9a)と、ヒータ(9a)に電気を供給するか否かを切り換える為のプッシュ式の電源ボタン(9b)と、ヒータ(9a)を作動させるか否かを切り換える為の回動式の操作つまみ(9c)と、が備えられている。尚、操作つまみ(9c)は、電気コンロ(9) の前面から突出して操作し易くなっている。
【０００３】
この電気コンロ(9) は、電源ボタン(9b)が押されて電気の供給状態（ヒータ用の電源回路がオン）に切り換えられた状態で、操作つまみ(9c)がヒータ(9a)の作動側に回動操作されると、ヒータ(9a)が作動するように構成されている。
従って、ヒータ(9a)を作動させる為に２操作が必要であり、操作つまみ(9c)を幼児が回してしまったり、物が当って電源ボタン(9b)が押されてしまったりしただけでは、ヒータ(9a)が作動しない。
【０００４】
又、ヒータ(9a)の作動中にて操作つまみ(9c)がヒータ(9a)の非作動側に回動操作されると、ヒータ(9a)が非作動状態となる。そして、電源ボタン(9b)を押すと、電気の非供給状態（ヒータ用の電源回路がオフ）となる。
【０００５】
【発明が解決しようとする課題】
ところが、ヒータ(9a)の作動状態にて操作つまみ(9c)が操作されてヒータ(9a)が非作動状態となっても、その後、電源ボタン(9b)がオフ操作されずにヒータ用の電源回路がオンの状態に放置されてしまう場合がある。この場合、前記電源回路等が通電状態に維持されるから、電気が無駄に消費され易い。
【０００６】
又、この場合、電源オンとなっているから、操作つまみ(9c)が作動側に操作されるだけでヒータ(9a)が作動状態となる。つまり、ヒータ(9a)が不用意に作動状態となる可能性が高くなる。
この不都合を解消する為に、操作つまみ(9c)がヒータ(9a)の非作動側に操作されると同時に上記電源回路がオフとなる構成とすることが考えられる。
【０００７】
ところが、この電気コンロ(9) にて調理をする際に、ヒータ(9a)を非作動状態としてすぐに再作動させる場合がある。この場合、操作つまみ(9c)が非作動側に操作される毎に上記電源回路もオフとなるから、前記再作動時には、操作つまみ(9c)のオン操作に先立って電源ボタン(9b)をオン操作しなければならない。従って、前記調理の為の操作が面倒であった。
【０００８】
請求項１の発明は、電力消費の無駄及びヒータの不用意な作動を抑え且つ使い勝手を向上させた加熱装置を提供することを目的とする。
請求項２の発明は、ヒータが複数ある場合に於いて電力消費の無駄及びヒータの不用意な作動を抑え且つ使い勝手を向上させた加熱装置を提供することを目的とする。
【０００９】
【課題を解決するための手段】
請求項１の発明の課題解決手段は、『ヒータと、
前記ヒータに電気を供給するか否かを切り換える電源切換手段と、
前記ヒータを作動させるか否かを切り換えるヒータ切換手段と、
前記ヒータの作動中において前記ヒータ切換手段によって前記ヒータが非作動状態に切り換えられた時点から所定時間経過した旨に応答して前記電源切換手段を前記電気の非供給状態に切り換える一方、前記電源切換手段が前記電気の供給状態に切り換えられたときにおいて、前記ヒータ切換手段が既に前記ヒータの作動側に切り換えられていた場合には前記電源切換手段を前記電気の非供給状態に切り換え、前記ヒータ切換手段が前記ヒータの非作動側に切り換えられていた場合には一定時間を経過しても前記ヒータ切換手段が前記ヒータの非作動側のままであるときには前記電源切換手段を前記電気の非供給状態に切り換える制御手段と、
を具備する』ことを特徴とする。
【００１０】
このものでは、電源切換手段が電気の供給状態に切り換えられると共に、ヒータ切換手段がヒータの作動側に切り換えられると、ヒータが作動状態となる。
そして、ヒータの作動中にてヒータ切換手段によってヒータが非作動状態に切り換えられると、その時点から所定時間経過したときに、制御手段によって、電源切換手段が電気の非供給状態に切り換えられる。
【００１１】
請求項２の発明の課題解決手段は、『複数のヒータと、
前記ヒータの全てに電気を供給するか否かを切り換える電源切換手段と、
前記ヒータに各々対応し且つ前記ヒータの各々を作動させるか否かを各々切り換える複数のヒータ切換手段と、
前記ヒータの少なくとも１つの作動中において前記ヒータ切換手段によって前記ヒータの内の最後まで作動していたヒータが非作動状態に切り換えられた時点から所定時間経過した旨に応答して前記電源切換手段を前記電気の非供給状態に切り換える一方、前記電源切換手段が前記電気の供給状態に切り換えられたときにおいて、前記ヒータ切換手段の少なくとも１つが既に前記ヒータの作動側に切り換えられていた場合には前記電源切換手段を前記電気の非供給状態に切り換え、
前記ヒータ切換手段の全てが前記ヒータの非作動側に切り換えられていた場合には一定時間を経過しても前記ヒータ切換手段の全てが前記ヒータの非作動側のままであるときには前記電源切換手段を前記電気の非供給状態に切り換える制御手段と、
を具備する』ことを特徴とする。
【００１２】
このものでは、電源切換手段が電気の供給状態に切り換えられると共に、ヒータ切換手段の少なくとも１つがヒータの作動側に切り換えられると、これに対応するヒータが作動状態となる。
そして、ヒータの少なくとも１つの作動中にて前記ヒータの内の最後まで作動していたヒータが非作動状態に切り換えられると、その時点から所定時間経過したときに、制御手段によって、電源切換手段が電気の非供給状態に切り換えられる。
【００１３】
【発明の効果】
以上説明したように、請求項１の発明では、ヒータが作動中にてヒータ切換手段によってヒータが非作動状態に切り換えられた時点から所定時間経過したときに、電気の非供給状態に切り換えられるから、前記所定時間以上には電気の供給状態に放置されない。従って、ヒータ用の電源回路等での電力消費の無駄が抑えられる。
【００１４】
又、前記所定時間以上には電気の供給状態に放置されないから、前記所定時間経過後に於いては、ヒータを作動させる為に、電源切換手段での切換とヒータ切換手段での切換の２つの切換が必要となり、ヒータが不用意に作動状態となるような不都合が生じない。
更に、ヒータが作動中にてヒータが非作動状態に切り換えられた時点から電気の非供給状態に切り換えられるまで、前記所定時間を要するから、前記所定時間よりも短い時間であれば、ヒータを一時的にのみ非作動状態としても電気の供給状態に維持される。従って、ヒータを非作動状態としてすぐに再作動させる場合に、電気の供給状態とする為の切換が不要となり、この加熱装置の使い勝手が向上する。
【００１５】
請求項２の発明では、請求項１の発明と同様の効果を奏する。
加えて、複数のヒータの内の最後まで作動していたヒータが非作動状態に切り換えられた時点から所定時間経過したときに電気の非供給状態に切り換えられるから、複数のヒータが作動状態となっている場合に於いて、１つのヒータのみが非作動状態になった時点から前記所定時間経過したときに他のヒータも非作動状態となるような不都合が生じない。
【００１６】
【発明の実施の形態】
以下、本願発明の実施の形態を、図面に基づいて説明する。
［実施の形態１］
図１は、本願発明の実施の形態に於けるドロップインコンロ(1) の平面図であり、図２は、ドロップインコンロ(1) の正面図であり、図３は、ドロップインコンロ(1) の要部を示すブロック図である。
【００１７】
＊ドロップインコンロ(1) について＊
図１及び図２に示すように、ドロップインコンロ(1) は、略矩形箱状のケース体(10)に対してその上面から露出するようにヒータ(3) 及びガスバーナ(2a)(2b)を収容した構成である。又、このケース体(10)の前面で開閉されるグリル部(12)にガスバーナ(2c)を収容した構成である。尚、ヒータ(3) 及びガスバーナ(2a)(2b)(2c)の各々は、公知の構成が採用されている。
【００１８】
＊操作パネル(11a)(11b)について＊
そして、ケース体(10)の前面には、図２に示すように、正面視にてグリル部(12)より左側の操作パネル(11a) と右側の操作パネル(11b) とが備えられている。操作パネル(11a) には、電源ボタン(4) と、ヒータ(3) 用の操作つまみ(5) と、ガスバーナ(2a)用の操作つまみ(6a)と、が設けられ、操作パネル(11b) には、ガスバーナ(2b)用の操作つまみ(6b)と、ガスバーナ(2c)用の操作つまみ(6c)と、が設けられている。これら操作つまみ(5)(6a)(6b)(6c) は、操作パネル(11a)(11b)から突出しており、操作し易くなっている。
【００１９】
＊電源ボタン(4) について＊
電源ボタン(4) は、プッシュ式であり、電源ボタン(4) の押圧でその接点部（図示せず）が閉じられて前記押圧された旨の信号が制御回路(7a)に付与され、後述の制御プログラムにより電源回路(7b)がオン・オフされる構成となっている。つまり、前記接点部と前記制御プログラムとが電源回路(7b)のオン・オフの為のスイッチとして機能する。
【００２０】
又、この電源ボタン(4) の押圧操作部には、図２に示すように、電源ランプ(40)が設けられている。この電源ランプ(40)は、電源回路(7b)のオン・オフ状態を表示する為のものである。
＊操作つまみ(5) について＊
操作つまみ(5) は、回動式であり、操作つまみ(5) の回動でその接点部（図示せず）が閉じられて回動位置が信号で制御回路(7a)に付与され、後述の制御プログラムにより通電回路(7c)がオン・オフされる構成となっている。つまり、前記接点部と前記制御プログラムとが通電回路(7c)のオン・オフの為のスイッチとして機能する。
【００２１】
具体的には、操作つまみ(5) は、図２に示すように、その外周面から突出する凸部(51)を備えている。この凸部(51)が操作つまみ(5) の最上位置に位置したときに、ヒータ(3) がオフとなり、この操作つまみ(5) が左回りに回動されたときに、ヒータ(3) がオンとなるように構成されている。又、前記回動の位置に基づいてヒータ(3) での加熱量が設定される。以下、凸部(51)が前記最上位置に位置したときの操作つまみ(5) の位置を「切位置」と称し、前記回動されたときの操作つまみ(5) の位置を「調節位置」と称する。
【００２２】
＊操作つまみ(6a)(6b)(6c)について＊
操作つまみ(6a)は、回動式であり、その外形は、操作つまみ(5) と同一の形状に設定されている。そして、この操作つまみ(6a)の外周面から突出する凸部(61)が操作つまみ(6a)の最上位置に位置したときに、ガスバーナ(2a)が消火状態となり、この操作つまみ(6a)が左回りに最も回動されたときに、ガスバーナ(2a)に点火される構成となっている。そして、前記点火後は、凸部(61)の位置に基づいてガスバーナ(2a)での火力が設定される。
【００２３】
又、操作つまみ(6b)(6c)は、操作つまみ(6a)と同様の構成となっている。
＊制御回路(7a)、電源回路(7b)及び通電回路(7c)について＊
このドロップインコンロ(1) には、図３に示すように、制御回路(7a)、電源回路(7b)及び通電回路(7c)が備えられている。
電源回路(7b)は、ヒータ(3) 用に設けられたものである。通電回路(7c)は、電源回路(7b)から供給された電気をヒータ(3) に対して通電させるか否を切り換える為のものである。つまり、通電回路(7c)がオンのときにヒータ(3) に通電し且つオフのときにヒータ(3) に通電しない構成となっている。
【００２４】
制御回路(7a)は、上記した電源ボタン(4) 及び操作つまみ(5) の操作に基づいて電源回路(7b)及び通電回路(7c)を制御するものであり、これら制御によって、ヒータ(3) が制御される。又、この制御回路(7a)によって、電源ランプ(40)及びブザー(8) も制御される。
この制御回路(7a)には、マイクロコンピューターが内蔵され、このマイクロコンピューターに格納された制御プログラムによって、前記制御が実行される。
【００２５】
［ヒータ(3) の制御について］
図４は、ヒータ(3) を制御する制御プログラムの一部を示すフローチャートであり、図５は、前記制御プログラムの他の一部を示すフローチャートであり、図６は、前記制御プログラムの更に他の一部を示すフローチャートである。
同図に示す制御プログラムに基づいてヒータ(3) の制御を説明する。
【００２６】
このものでは、電源ボタン(4) が２秒間連続して押されると、電源回路(7b)がオンとなると共に電源ランプ(40)が点灯する（ステップ(S1)(S2)(S3)）。
このとき、操作つまみ(5) が既に「調節位置」に回動操作されていた場合には、ブザー(8) が「ピー」と１秒間鳴り誤操作であることを報知すると共に、電源回路(7b)をオフとし且つ電源ランプ(40)を消灯する（ステップ(S4)(S5)(S6)(S7)）。そして、ステップ(S1)に戻る。
【００２７】
操作つまみ(5) が「切位置」である場合には、タイマーをリセットして時間計測を開始する（ステップ(S4)(S8)）。
そして、５分経過しても操作つまみ(5) が「切位置」のままであるときには、電源回路(7b)をオフとすると共に電源ランプ(40)をオフとする（ステップ(S9)(S10)(S20)(S21) ）。そして、ステップ(S1)に戻る。
【００２８】
又、５分経過するまでの間に電源ボタン(4) が押されると、電源回路(7b)をオフとすると共に電源ランプ(40)をオフとする（ステップ(S11)(S20)(S21) ）。そして、ステップ(S1)に戻る。
一方、５分経過するまでの間に操作つまみ(5) が「切位置」から「調節位置」に回動操作されると、通電回路(7c)をオンとしてヒータ(3) に通電させる（ステップ(S9)(S10)(S12)）。又、タイマーをリセットして新たに時間計測を開始する（ステップ(S13) ）。
【００２９】
この後、操作つまみ(5) が「調節位置」から「切位置」に戻された場合、通電回路(7c)をオフとしてヒータ(3) をオフとする（ステップ(S14)(S17)）。続いて、ステップ(S8)に戻ってタイマーを再びリセットして新たに時間計測を開始し、５分経過するまでの間に操作つまみ(5) が「切位置」から「調節位置」に操作されたか否かが判断される（ステップ(S9)(S10) ）。
【００３０】
「調節位置」に操作された場合には、再び通電回路(7c)をオンとしてヒータ(3) に通電し（ステップ(S9)(S12) ）、再び、ステップ(S13)(S14)(S15) にて、操作つまみ(5) が「切位置」に戻されたか否かが監視される。
「調節位置」に操作されずに５分経過した場合には、電源回路(7b)をオフとすると共に電源ランプ(40)をオフとし（ステップ(S9)(S10)(S20)(S21) ）、ステップ(S1)に戻る。
【００３１】
一方、ステップ(S14)(S15)に於いて、操作つまみ(5) が「切位置」に戻されずに１時間経過した場合には、通電回路(7c)をオフとしてヒータ(3) をオフとする（ステップ(S15)(S18)）。続いて、１秒毎にブザー(8) を「ピー」と合計５回鳴らす（ステップ(S22)(S23)(S24)(S25)(S26) ）。これによって、ヒータ(3) の作動開始から１時間経過したことを使用者がわかるものとなる。
【００３２】
そして、ブザー(8) が５回鳴り終わるまでに操作つまみ(5) が「切位置」に戻されると、ブザー(8) による報知動作が中止され、再びステップ(S8)に戻る。そして、タイマーがリセットされると共にその後５分以内に操作つまみ(5) が「調節位置」に操作されたか否かが監視される（ステップ(S26)(S27)(S8)(S9)(S10) ）。
【００３３】
又、ブザー(8) が５回鳴り終わるまでに電源ボタン(4) が押されると、電源回路(7b)をオフとすると共に電源ランプ(40)をオフとする（ステップ(S28)(S20)(S21) ）。そして、ステップ(S1)に戻る。
ステップ(S14)(S15)に於いて、操作つまみ(5) が「切位置」に戻されず且つ１時間経過するまでの間に電源ボタン(4) が押された場合には、通電回路(7c)をオフとしてヒータ(3) をオフとする（ステップ(S16)(S19)）。続いて、電源回路(7b)をオフとすると共に電源ランプ(40)をオフとする（ステップ(S20)(S21)）。そして、ステップ(S1)に戻る。
【００３４】
このものでは、ヒータ(3) が作動中に操作つまみ(5) を「切位置」に戻してヒータ(3) がオフになると（ステップ(S14)(S17)）、その時点から操作つまみ(5) がオン操作されずに５分経過したときに電源回路(7b)がオフとなるから（ステップ(S8)(S9)(S10)(S20)）、前記５分以上には電源回路(7b)のみがオンとなった状態に放置されない。従って、ヒータ(3) を使用しないときの電源回路(7b)等での電力消費の無駄が抑えられる。
【００３５】
又、前記５分間以上には電源回路(7b)がオンの状態に放置されないから、前記５分間経過後に於いては、ヒータ(3) を作動させる為に、電源ボタン(4) を押す操作と操作つまみ(5) を回す操作とが必要となり、ヒータ(3) の不用意な作動が防止されている。
更に、ヒータ(3) がオフとなった時点から電源回路(7b)がオフとなるまで５分間必要であるから、前記５分間よりも短い時間であれば、電源回路(7b)がオン状態に維持される。従って、調理の途中でヒータ(3) をオフ状態としてすぐにヒータ(3) をオンとする場合、操作つまみ(5) の操作だけで済み、ヒータ(3) がオフとなると同時に電源回路(7b)もオフとなるものに比べて、このドロップインコンロ(1) の使い勝手が向上している。
【００３６】
電源回路(7b)がオンとなるには、電源ボタン(4) が２秒間連続して押される必要があるから、電源ボタン(4) に瞬間的に物が接触しても電源回路(7b)がオンとならない。従って、電源回路(7b)が不用意にオンとなるような不都合が防止されている。
このものでは、上記の電源ボタン(4) 、電源回路(7b)及びステップ(S1)(S2)(S11)(S20)が既述請求項１に記載の「電源切換手段」に相当し、操作つまみ(5) 、通電回路(7c)及びステップ(S9)(S12)(S14)(S17) が既述請求項１に記載の「ヒータ切換手段」に相当する。更に、ステップ(S14)(S17)(S8)(S9)(S10)(S20)が既述請求項１に記載の「制御手段」に相当する。
［実施の形態２］
図７は、本願発明の実施の形態２に於けるテーブルコンロ(1a)の平面図であり、図８は、テーブルコンロ(1a)の正面図であり、図９は、テーブルコンロ(1a)の要部を示すブロック図である。
【００３７】
＊テーブルコンロ(1a)について＊
図７及び図８に示すように、テーブルコンロ(1a)は、略矩形箱状のケース体(10a) に対してその上面から露出するように一対のヒータ(3a)(3b)を収容した構成である。尚、ヒータ(3a)(3b)としては、公知の構成が採用されている。
そして、ケース体(10a) の前面には、電源ボタン(4) と、ヒータ(3a)用の操作つまみ(5a)と、ヒータ(3b)用の操作つまみ(5b)と、が設けられている。
【００３８】
＊電源ボタン(4) について＊
電源ボタン(4) は、上記実施の形態１と同じ構成であり、この電源ボタン(4) の接点部と後述の制御プログラムとが電源回路(7b)をオン・オフする為のスイッチとして機能する。
又、この電源ボタン(4) の押圧操作部には、上記実施の形態１と同様の電源ランプ(40)が設けられている。
【００３９】
＊操作つまみ(5a)(5b)について＊
操作つまみ(5a)(5b)の各々は、回動式であり、これら操作つまみ(5a)(5b)の各々の接点部と後述の制御プログラムとが通電回路(7c)(7d)をオン・オフする為のスイッチとして機能する。
これら操作つまみ(5a)(5b)は、ケース体(10a) の前面から突出しており、操作し易くなっている。又、これら操作つまみ(5a)(5b)は、図８に示すように、その外周部の一部に印刷された目印(52)(53)を備えている。
【００４０】
そして、目印(52)が操作つまみ(5a)の最上位置に位置したときに、ヒータ(3a)がオフとなり、この操作つまみ(5a)が回動されたときに、ヒータ(3a)がオンとなるように構成されている。又、前記回動の位置に基づいてヒータ(3a)での加熱量が設定される。
又、目印(53)が操作つまみ(5b)の最上位置に位置したときに、ヒータ(3b)がオフとなり、この操作つまみ(5b)が回動されたときに、ヒータ(3b)がオンとなるように構成されている。又、前記回動の位置に基づいてヒータ(3b)での加熱量が設定される。以下、目印(52)(53)が前記最上位置に位置したときの操作つまみ(5a)(5b)の位置を「切位置」と称し、前記回動されたときの操作つまみ(5a)(5b)の位置を「調節位置」と称する。
【００４１】
＊制御回路(7a)、電源回路(7b)及び通電回路(7c)(7d)について＊
このテーブルコンロ(1a)には、図９に示すように、制御回路(7a)、電源回路(7b)及び通電回路(7c)(7d)が備えられている。
電源回路(7b)は、ヒータ(3a)(3b)用に設けられたものである。そして、通電回路(7c)は、電源回路(7b)から供給された電気をヒータ(3a)に対して通電させるか否を切り換える為のものであり、通電回路(7c)がオンのときにヒータ(3a)に通電し且つオフのときにヒータ(3a)に通電しない構成となっている。又、通電回路(7d)は、電源回路(7b)から供給された電気をヒータ(3b)に対して通電させるか否かを切り換える為のものであり、通電回路(7d)がオンのときにヒータ(3b)に通電し且つオフのときにヒータ(3b)に通電しない構成となっている。
【００４２】
制御回路(7a)は、上記した電源ボタン(4) 及び操作つまみ(5a)(5b)の操作に基づいて電源回路(7b)及び通電回路(7c)(7d)を制御するものであり、これら制御によって、ヒータ(3a)(3b)が制御される。又、この制御回路(7a)によって、電源ランプ(40)及びブザー(8) （図示せず）も制御される。
この制御回路(7a)には、マイクロコンピューターが内蔵され、このマイクロコンピューターに格納された制御プログラムによって、前記制御が実行される。
【００４３】
［ヒータ(3) の使用について］
図１０は、ヒータ(3a)(3b)を制御する制御プログラムの一部を示すフローチャートであり、図１１は、前記制御プログラムの他の一部を示すフローチャートであり、図１２は、前記制御プログラム中のヒータ制御ルーチンを示すフローチャートである。
【００４４】
このものでは、電源ボタン(4) が２秒間押されると、電源回路(7b)がオンとなると共に電源ランプ(40)が点灯する（ステップ(S31)(S32)(S33) ）。
このとき、操作つまみ(5a)(5b)の両方が「切位置」でない場合、つまり、操作つまみ(5a)(5b)の少なくとも一方が既に「調節位置」に回動操作されていた場合には、ブザー(8) が「ピー」と１秒間鳴り誤操作であることを報知すると共に、電源回路(7b)をオフとし且つ電源ランプ(40)を消灯する（ステップ(S34)(S35)(S36)(S37)）。そして、ステップ(S31) に戻る。
【００４５】
ステップ(S34) に於いて、操作つまみ(5a)(5b)の両方が「切位置」である場合には、ヒータ(3a)のオン・オフの状態に対応するフラグ(A) を「０」とし且つヒータ(3b)のオン・オフの状態に対応するフラグ(B) を「０」とする（ステップ(S34)(S38)）。フラグ(A) は、ヒータ(3a)がオフのままのとき「０」、ヒータ(3a)がオンのとき「１」、ヒータ(3a)がオンからオフとなったとき「２」となる。フラグ(B) も同様に、ヒータ(3b)がオフのままのとき「０」、ヒータ(3b)がオンのとき「１」、ヒータ(3b)がオンからオフとなったとき「２」となる。
【００４６】
又、ヒータ(3a)(3b)の少なくとも一方がオンとなった後にヒータ(3a)(3b)の両方がオフとなった時点からの時間計測の有無を示すフラグ(F) を「０」とする（ステップ(S38) ）。このフラグ(F) は、前記時間計測が行われているとき「１」、行われていないとき「０」となる。
続いて、ステップ(S39) にてタイマーをリセットして時間計測を開始し、ヒータ制御ルーチン（ステップ(S40)(S41)(S42) ）を実行する。
【００４７】
このヒータ制御ルーチンでは、フラグ(A) が「１」でないとき、つまり、フラグ(A) が「０」又は「２」のとき、操作つまみ(5a)が「切位置」から「調節位置」に操作されたか否かを判断し、前記操作されたときには、通電回路(7c)をオンとしてヒータ(3a)をオンとする（ステップ(S61)(S62)(S63) ）。又、フラグ(A) を「１」とする（ステップ(S64) ）。前記操作されないときには、通電回路(7c)をオフのままとする（ステップ(S62) ）。
【００４８】
そして、フラグ(A) が「１」であるとき、操作つまみ(5a)が「調節位置」から「切位置」に操作されたか否かを判断し、前記操作されたときには、通電回路(7c)をオフとしてヒータ(3a)をオフとする（ステップ(S69)(S70)(S71) ）。又、フラグ(A) を「０」とする（ステップ(S72) ）。前記操作されないときには、通電回路(7c)をオンのままとする（ステップ(S70) ）。
【００４９】
又、フラグ(B) が「１」でないとき、つまり、フラグ(B) が「０」又は「２」のとき、操作つまみ(5b)が「切位置」から「調節位置」に操作されたか否かを判断し、前記操作されたときには、通電回路(7d)をオンとしてヒータ(3b)をオンとする（ステップ(S65)(S66)(S67) ）。又、フラグ(B) を「１」とする（ステップ(S68) ）。前記操作されないときには、通電回路(7d)をオフのままとする（ステップ(S66) ）。
【００５０】
そして、フラグ(B) が「１」であるとき、操作つまみ(5b)が「調節位置」から「切位置」に操作されたか否かを判断し、前記操作されたときには、通電回路(7d)をオフとしてヒータ(3b)をオフとする（ステップ(S73)(S74)(S75) ）。又、フラグ(B) を「０」とする（ステップ(S76) ）。前記操作されないときには、通電回路(7d)をオンのままとする（ステップ(S74) ）。
【００５１】
上記時間計測の開始から５分経過しても、このヒータ制御ルーチンでヒータ(3a)(3b)の両方がオフのままのときには、電源回路(7b)をオフとすると共に電源ランプ(40)を消灯する（ステップ(S40)(S41)(S42)(S51)(S52) ）。そして、ステップ(S31) に戻る。
又、前記５分以内に電源ボタン(4) が押されたときには、電源回路(7b)をオフとすると共に電源ランプ(40)を消灯する（ステップ(S40)(S41)(S42)(S43)(S51)(S52)）。そして、ステップ(S31) に戻る。
【００５２】
一方、前記５分以内にヒータ(3a)(3b)の少なくとも一方がオンとなったときには、ステップ(S44)(S45)に進み、上記ヒータ制御ルーチンを繰り返し実行する（ステップ(S40)(S41)(S44)(S45)）。尚、このときに電源ボタン(4) が押されたときには、通電回路(7c)(7d)の両方をオフ状態とし且つ電源回路(7b)をオフとすると共に電源ランプ(40)を消灯する（ステップ(S46)(S50)(S51)(S52)）。そして、ステップ(S31) に戻る。
【００５３】
この後、ヒータ(3a)(3b)の両方がオフとなると、タイマーがリセットされて新たに時間計測を開始すると共にフラグ(F) を「１」とする（ステップ(S47)(S48)(S49) ）。そして、５分以内にヒータ(3a)(3b)の少なくとも一方がオンになるか否かが監視される（ステップ(S40)(S41)(S44)(S47)(S42) ）。
前記５分以内にヒータ(3a)(3b)の少なくとも一方がオンになったときには、ステップ(S44) からステップ(S45) に進んでフラグ(F) が「０」となり、上記ヒータ制御ルーチンが繰り返し実行される（ステップ(S40)(S41)(S44)(S45)）。
【００５４】
前記５分以内にヒータ(3a)(3b)の少なくとも一方がオンにならないときには、電源回路(7b)をオフとすると共に電源ランプ(40)を消灯し（ステップ(S42)(S51)(S52) ）、ステップ(S31) に戻る。
尚、前記５分以内に電源ボタン(4) が押されたときには、上記と同様に、電源回路(7b)をオフ状態とすると共に電源ランプ(40)を消灯し（ステップ(S43)(S51)(S52) ）、ステップ(S31) に戻る。
【００５５】
このものでは、ヒータ(3a)(3b)の少なくとも一方が作動中に操作つまみをオフ操作してヒータ(3a)(3b)の両方がオフ状態になると（ステップ(S44)(S47)(S48)(S49)）、その時点から操作つまみ(5a)(5b)の両方がオン操作されずに５分経過したときに電源回路(7b)がオフとなるから（ステップ(S44)(S47)(S42)(S51)）、前記５分以上には電源回路(7b)のみがオンとなった状態に放置されない。従って、ヒータ(3a)(3b)の両方を使用しないときの電源回路(7b)等での電力消費の無駄が抑えられる。
【００５６】
又、前記５分間以上には電源回路(7b)がオンの状態に放置されないから、前記５分間経過後に於いては、ヒータ(3a)(3b)の少なくとも一方を作動させる為に、電源ボタン(4) を押す操作と操作つまみを回す操作とが必要となり、ヒータ(3a)(3b)の不用意な作動が防止されている。
更に、ヒータ(3a)(3b)の両方がオフとなった時点から電源回路(7b)がオフとなるまで５分間必要であるから、前記５分間よりも短い時間であれば、電源回路(7b)がオン状態に維持される。従って、調理の途中でヒータ(3a)(3b)の両方をオフ状態として直後にヒータ(3a)(3b)の少なくとも一方をオンとする場合、対応する操作つまみを操作するだけで済み、ヒータ(3a)(3b)の両方がオフとなると同時に電源回路(7b)もオフとなるものに比べて、このドロップインコンロ(1) の使い勝手が向上している。
【００５７】
このものでは、電源ボタン(4) 、電源回路(7b)及びステップ(S31)(S32)(S43)(S51)が既述請求項２に記載の「電源切換手段」に相当し、操作つまみ(5a)(5b)、通電回路(7c)(7d)及びステップ(S62)(S63)(S66)(S67)(S70)(S71)(S74)(S75)が既述請求項２に記載の「ヒータ切換手段」に相当する。更に、ステップ(S40)(S41)(S44)(S47)(S48)(S49)(S42)(S51)が既述請求項２に記載の「制御手段」に相当する。
［他の実施の形態］
▲１▼．上記の実施の形態２では、一対のヒータ(3a)(3b)を備えたものに実施したが、これを、３つ以上のヒータを備えたものに実施してもよい。
【００５８】
▲２▼．上記の実施の形態１、２では、電源回路(7b)をオン・オフする為のスイッチ機能部を、電源ボタン(4) の接点部と制御プログラムの一部から構成し、通電回路をオン・オフする為のスイッチ機能部を、操作つまみの接点部と制御プログラムの他の一部から構成したが、前記スイッチ機能部の各々を、前記制御プログラムを含まずに機械的なものだけから構成してもよい。
【００５９】
この場合、周知の所謂、プッシュプッシュ式のスイッチを採用できる。
これを説明すると、非押圧位置と押圧位置との間で移動可能で且つ前記非押圧位置側にバネにより付勢される操作部と、操作部が非押圧位置にあるときには開き且つ非押圧位置と押圧位置との中間位置にあるときには閉じられる接点部と、操作部を前記中間位置に係止する為のハートカム溝とこれに係合するピン状の係合子とからなるロック機構と、上記５分間経過時点で制御回路から出力されるオフ信号に応答して電磁力等により係合子をハートカム溝から外す強制解除機構と、を具備する構成としたオートオフスイッチとしてもよい。
【００６０】
このものでは、非押圧位置にある操作部を押圧位置まで押圧して移動させた後に操作部から手を離すと、操作部は、バネにより非押圧位置側に押し戻されて、ハートカム溝の中間点と係合子との係合により前記中間位置に係止される。このとき、接点部が閉状態となり、電源回路(7b)又は通電回路がオンとなる。
この係止状態で、操作部を再び押圧すると、係合子が中間点から外れ、操作部が付勢力により押圧位置まで押し戻される。このとき、接点部が開状態となり、電源回路(7b)又は通電回路がオフとなる。
【００６１】
又、前記係止状態で、制御回路から上記オフ信号が出力された場合でも、強制解除機構によって、係合子が中間点から外れて操作部がバネにより非押圧位置まで押し戻される。このとき、接点部が開状態となり、電源回路(7b)又は通電回路がオフとなる。
【図面の簡単な説明】
【図１】本願発明の実施の形態に於けるドロップインコンロ(1) の平面図
【図２】ドロップインコンロ(1) の正面図
【図３】ドロップインコンロ(1) の要部を示すブロック図
【図４】ヒータ(3) を制御する制御プログラムの一部を示すフローチャート
【図５】前記制御プログラムの他の一部を示すフローチャート
【図６】前記制御プログラムの更に他の一部を示すフローチャート
【図７】本願発明の実施の形態２に於けるテーブルコンロ(1a)の平面図
【図８】テーブルコンロ(1a)の正面図
【図９】テーブルコンロ(1a)の要部を示すブロック図
【図１０】ヒータ(3a)(3b)を制御する制御プログラムの一部を示すフローチャート
【図１１】前記制御プログラムの他の一部を示すフローチャート
【図１２】前記制御プログラム中のヒータ制御ルーチンを示すフローチャート
【図１３】従来の電気コンロ(9) の正面図
【符号の説明】
(1) ・・・ドロップインコンロ
(1a)・・・テーブルコンロ
(4) ・・・電源ボタン
(5) ・・・操作つまみ
(5a)・・・操作つまみ
(5b)・・・操作つまみ
(7a)・・・制御回路
(7b)・・・電源回路
(7c)・・・通電回路
(7d)・・・通電回路
【図１】
0003662399.tif 000002
【図２】
0003662399.tif 000003
【図３】
0003662399.tif 000004
【図４】
0003662399.tif 000005
【図５】
0003662399.tif 000006
【図６】
0003662399.tif 000007
【図７】
0003662399.tif 000008
【図８】
0003662399.tif 000009
【図９】
0003662399.tif 000010
【図１０】
0003662399.tif 000011
【図１１】
0003662399.tif 000012
【図１２】
0003662399.tif 000013
【図１３】
0003662399.tif 000014